(57)【要約】  加熱調理器は、加熱室とドアとダンパとダンパアームとを備える。加熱室は、本体に設けられ、被加熱物を収容するように構成される。ドアは、回転軸を中心に回転自在に本体に取り付けられ、加熱室の前面開口を覆うように構成される。ダンパは本体に設けられる。ダンパアームは、ドアに回転自在に連結された前方端と、ダンパに当接する後方端とを有する。ドアが回転軸を中心に回転すると、ダンパアームの前方端はドアとともに回転し、ダンパアームの後方端はドアの回転に連動して往復運動を行ってダンパを押圧するように構成される。本態様によれば、ダンパを備えたドア開閉機構を簡素化かつ小型化することができる。その結果、ドア開閉機構のコスト低減および省スペース化を図ることができる。
2018147321.tif 000002
【特許請求の範囲】
【請求項１】
本体に設けられ、被加熱物を収容するように構成された加熱室と、
回転軸を中心に回転自在に前記本体に取り付けられ、前記加熱室の前面開口を覆うように構成されたドアと、
前記本体に設けられたダンパと、
前記ドアに回転自在に連結された前方端と、前記ダンパに当接する後方端とを有するダンパアームと、を備え、
前記ドアが前記回転軸を中心に回転すると、前記ダンパアームの前記前方端は前記ドアとともに回転し、前記ダンパアームの前記後方端は前記ドアの回転に連動して往復運動を行って前記ダンパを押圧するように構成された加熱調理器。
【請求項２】
前記ドアの全閉状態に近い前記ドアの開き角度と、前記ドアの全開状態に近い前記ドアの前記開き角度とにおいて、前記ダンパアームの前記後方端が前記ダンパを押圧するように構成された、請求項１に記載の加熱調理器。
【請求項３】
前記全閉状態と前記全開状態との間の中間付近の前記ドアの前記開き角度において、前記ダンパアームの前記後方端が前記ダンパを押圧しないように構成された、請求項２に記載の加熱調理器。
【発明の詳細な説明】
【技術分野】
【０００１】
本開示は、加熱調理器、特にそのドアに関する。
【背景技術】
【０００２】
特許文献１は、従来の加熱調理器のドアの一例を開示している。図７は、特許文献１に記載の従来の加熱調理器の、ドアを閉めた状態における一部切欠き側面図であり、図８は、その加熱調理器のドアを開けた状態における一部切欠き側面図である。【０００３】
図７、図８に示すように、加熱調理器は、本体５１内に設けられた加熱室５２と、加熱室５２の前面開口を覆うドア５３と、ドア５３の開閉機構とを有する。【０００４】
ドア５３の開閉機構は、ダンパ５４とドアアーム５６とローラ５７とバネ５８と作動レバー６２と連結レバー６４とを有する。【０００５】
加熱室５２の上方の本体５１と加熱室５２との間の空間には、電気部品６６が配置される。【０００６】
ドア５３を閉じる場合、図７に示すように、バネ５８によりドア５３の衝撃荷重が発生する。ドア５３を完全に閉じる直前に、ドア５３の内側面が、作動レバー６２に設けられた凸部６１を矢印Ｙａの方向に押す。この動作により、ドア５３の衝撃荷重がダンパ５４に伝達され、ダンパ５４によって吸収される。【０００７】
ドア５３を開ける場合、ドアアーム５６は、バネ５８によってローラ５７に押し付けられながら引き出される。図８に示す状態まで引き出されると、ドアアーム５６は、ドアアーム５６に設けられたピン６８で、連結レバー６４の下端を矢印Ｙｂの方向に押す。【０００８】
その結果、連結レバー６４の上端が矢印Ｙｃの方向に移動して、作動レバー６２に設けられた凸部６１を矢印Ｙｄの方向に押す。これらの動作により、ドア５３の自重による衝撃荷重がダンパ５４に伝達され、ダンパ５４によって吸収される。【０００９】
上記従来技術によれば、ドア５３の開閉時に加熱調理器の本体５１に伝わる衝撃力をダンパ５４により緩和することで、加熱室５２内での液体の飛び散りを防止するとともに、振動による電気部品６６への影響を抑制する。
【先行技術文献】
【特許文献】
【００１０】
【特許文献１】特開２００２−０３９５４１号公報
【発明の概要】
【００１１】
しかしながら、特許文献１に記載の発明では、ドア５３を開ける場合と閉める場合とで、ダンパ５４に衝撃荷重を伝達する仕組みが異なり、ダンパ５４の周囲の部品点数が増加する。そのため、ドア５３の開閉機構を簡素化、小型化することが困難である。
【００１２】
本開示の一態様の加熱調理器は、加熱室とドアとダンパとダンパアームとを備える。
【００１３】
加熱室は、本体に設けられ、被加熱物を収容するように構成される。ドアは、回転軸を中心に回転自在に本体に取り付けられ、加熱室の前面開口を覆うように構成される。ダンパは本体に設けられる。ダンパアームは、ドアに回転自在に連結された前方端と、ダンパに当接する後方端とを有する。
【００１４】
ドアが回転軸を中心に回転すると、ダンパアームの前方端はドアとともに回転し、ダンパアームの後方端はドアの回転に連動して往復運動を行ってダンパを押圧するように構成される。
【００１５】
本態様によれば、ダンパを備えたドア開閉機構を簡素化かつ小型化することができる。その結果、ドア開閉機構のコスト低減および省スペース化を図ることができる。
【図面の簡単な説明】
【００１６】
【図１】図１は、本開示の実施の形態に係る加熱調理器の、ドアを完全に閉めた状態における一部切欠き側面図である。
【図２】図２は、本実施の形態に係る加熱調理器の、ドアを途中まで開けた状態における一部切欠き側面図である。
【図３】図３は、本実施の形態に係る加熱調理器の、ドアを完全に開けた状態における一部切欠き側面図である。
【図４】図４は、本実施の形態におけるドアの開閉時のダンパとダンパアームとの要部拡大側面図である。
【図５】図５は、本実施の形態において、ダンパが作動するドアの開き角度の範囲を示す図である。
【図６】図６は、本実施の形態に係る加熱調理器の、ドアを閉めた状態における一部切欠き正面図である。
【図７】図７は、従来の加熱調理器の、ドアを閉めた状態における一部切欠き側面図である。
【図８】図８は、従来の加熱調理器の、ドアを開けた状態における一部切欠き側面図である。
【発明を実施するための形態】
【００１７】
本開示の第１の態様の加熱調理器は、加熱室とドアとダンパとダンパアームとを備える。
【００１８】
加熱室は、本体に設けられ、被加熱物を収容するように構成される。ドアは、回転軸を中心に回転自在に本体に取り付けられ、加熱室の前面開口を覆うように構成される。ダンパは本体に設けられる。ダンパアームは、ドアに回転自在に連結された前方端と、ダンパに当接する後方端とを有する。
【００１９】
ドアが回転軸を中心に回転すると、ダンパアームの前方端はドアとともに回転し、ダンパアームの後方端はドアの回転に連動して往復運動を行ってダンパを押圧するように構成される。
【００２０】
本開示の第２の態様の加熱調理器によれば、第１の態様において、ドアの全閉状態に近いドアの開き角度と、ドアの全開状態に近いドアの開き角度とにおいて、ダンパアームの後方端がダンパを押圧するように構成される。
【００２１】
本開示の第３の態様の加熱調理器によれば、第２の態様において、全閉状態と全開状態との間の中間付近のドアの前記開き角度において、ダンパアームの後方端がダンパを押圧しないように構成される。
【００２２】
以下、本開示の実施の形態について、図面を参照しながら説明する。
【００２３】
図１は、本開示の実施の形態に係る加熱調理器の、ドア３を完全に閉めた状態における一部切欠き側面図である。図２は、本実施の形態に係る加熱調理器の、ドア３を途中まで開けた状態における一部切欠き側面図である。図３は、本実施の形態に係る加熱調理器の、ドア３を完全に開けた状態における一部切欠き側面図である。
【００２４】
本実施の形態では、加熱調理器の本体１のドア３側、すなわち、図１〜図３の左側を前方とする。前方から本体１に向かって右側、すなわち、図１〜図３の手前側を右側とする。ドア３を完全に閉めた状態をドア３の全閉状態といい、ドア３を完全に開けた状態をドア３の全開状態という。
【００２５】
図１〜図３に示すように、加熱調理器の本体１内には、前面開口２ａを有する加熱室２が設けられる。加熱室２の前面には、前面開口２ａを覆うようにドア３が設けられる。ドア３の上部には把手１４が設けられる。
【００２６】
本体１の下部には、加熱室２に供給されるマイクロ波を発生させるマグネトロン（図示せず）が設けられる。本体１の前面開口２ａの周囲の部分と接するドア３の部分には、マイクロ波が加熱室２から漏出することを防止するために、ドアチョーク１３が設けられる。
【００２７】
以下、ドア３を開閉させるドア開閉機構４について説明する。
【００２８】
図１〜図３に示すように、ドア開閉機構４は、本体側連結部５とダンパアーム６とダンパ７とダンパ固定部８とドアアーム９とバネ１０と回転軸１１とドア側連結部１２とを含む。
【００２９】
本体側連結部５は、加熱調理器の本体１の下部前方に、その前方端が本体１から前方に突出するように設けられる。本体側連結部５には、二つの細長い案内孔（案内孔５ａ、５ｂ）が設けられる。回転軸１１は、本体側連結部５の前方端に設けられ、ドア３の下部に位置する。回転軸１１は水平方向（図面では奥行き方向）に延在する。
【００３０】
ドア側連結部１２は、ドア３の下部に設けられてドア３を支持するものであり、回転軸１１を中心に回転自在に本体１に取り付けられる。すなわち、ドア３は、水平方向（図面では奥行き方向）に延在する回転軸１１を中心に回転自在の、いわゆる縦開きのドアである。ドア３は、開き角度が０°〜９０°の範囲で回転自在である。
【００３１】
ダンパ固定部８は本体側連結部５の後部に設けられる。ダンパ７はダンパ固定部８に固定される。ダンパ７は、ドア３の開閉時に、加熱調理器の本体１に伝わる衝撃力を緩和する。
【００３２】
ダンパアーム６は、前方端６ａと後方端６ｂとを有する細長い板状部材である。前方端６ａは、ドア側連結部１２に回転自在に連結される。後方端６ｂは、摺動自在に案内孔５ｂに挿入され、ダンパ７の先端と対向する。
【００３３】
ドアアーム９は、前方端９ａと後方端９ｂとを有する細長い板状部材である。前方端９ａは、ドア側連結部１２に回転自在に連結される。後方端９ｂは、摺動自在に案内孔５ａに挿入される。弾性体であるバネ１０の前方端は、後方端９ｂに連結される。バネ１０の後方端は、本体側連結部５に取り付けられる。この構成により、ドアアーム９は、バネ１０によりドア３を閉じる方向に常に付勢される。
【００３４】
図４は、ダンパアーム６の後方端６ｂとダンパ７との要部側面図である。図４の状態（１）〜（３）は、図１〜図３に示す状態にそれぞれ対応する。
【００３５】
図１において、ダンパアーム６の後方端６ｂは最も後方に位置する（図４の状態（１）参照）。このとき、ダンパアーム６の後方端６ｂはダンパ７を押圧する。
【００３６】
この状態から使用者が把手１４を引くと、ドア３は回転軸１１を中心に回転する。ダンパアーム６の前方端６ａはドア３とともに回転する。ダンパアーム６の後方端６ｂは、ドア３の回転に連動してダンパ７の先端とともに案内孔５ｂに沿って前方に摺動する。
【００３７】
図２において、ダンパアーム６の後方端６ｂは最も前方に位置する（図４の状態（２）参照）。このとき、ダンパアーム６の後方端６ｂはダンパ７を押圧しない。
【００３８】
ダンパアーム６の前方端６ａがドア３とともにさらに回転すると、ダンパアーム６の後方端６ｂは、ダンパ７の先端とともに案内孔５ｂに沿って後方に摺動する。ドア３を完全に開けると、図３に示すように、ダンパ７は図１に示す状態に戻る（図４の状態（３）参照）。このとき、ダンパアーム６の後方端６ｂはダンパ７を押圧する。
【００３９】
このように、ドア３が回転軸１１を中心に９０°回転すると、ダンパアーム６の前方端６ａはドア３とともに回転する。ダンパアーム６の後方端６ｂは、ドア３の回転に連動して前後方向に往復運動を行う。すなわち、ドア３およびドア開閉機構４は、ドア３、ダンパアーム６の後方端６ｂ、ダンパアーム６が、クランク、スライダ、連結棒としてそれぞれ機能するスライダクランク機構を構成する。
【００４０】
ドア３が回転すると、ドアアーム９の前方端９ａはドア３とともに回転する。ドアアーム９の後方端９ｂは、バネ１０により後方に引っ張られながら、ドア３の回転に連動して案内孔５ａに沿って摺動する。
【００４１】
以下、ドア３の開閉とダンパ７の作動との関係について説明する。
【００４２】
図４は、ダンパアーム６の後方端６ｂとダンパ７との要部側面図である。図４に示す状態Ｓ１〜Ｓ３は、図１〜図３に示す状態にそれぞれ対応する。
【００４３】
図１に示す状態から図３に示す状態まで、使用者が把手１４を引くと、ドア３は回転軸１１を中心に９０°回転する。ダンパアーム６の前方端６ａは、ドア３の回転に連動して回転する。このとき、ダンパアーム６の後方端６ｂが案内孔５ｂに挿入されるため、ダンパアーム６の後方端は、ドア３の回転に連動して案内孔５ｂに沿って前後に往復運動を行う（図４参照）。
【００４４】
後述するように、全閉状態に近いドア３の開き角度と、全開状態に近いドア３の開き角度とにおいて、ダンパアーム６の後方端はダンパ７を押圧する。
【００４５】
ドアアーム９の前方端９ａは、ドア３の回転に連動して前後に移動する。それに伴ってバネ１０は伸縮する。ドアアーム９は、バネ１０によりドア３を閉じる方向に常に付勢される。
【００４６】
ドア３の開き角度が所定値より小さい場合、バネ１０によってドア３を閉めようとする力が、ドア３の自重によってドア３を開けようとする力より大きい。このため、使用者が把手１４を離すと、ドア３はバネ１０の力により自動的に閉まる。
【００４７】
バネ１０の力は、図２または図３の状態から使用者がドア３を閉めるのを補助する。図１に示す状態において、バネ１０の力で加熱室２の密閉状態が保持される。
【００４８】
ドア３の開き角度が所定値以上である場合、バネ１０によってドア３を閉めようとする力が、ドア３の自重によってドア３を開けようとする力より小さい。このため、使用者が把手１４を離すと、ドア３の自重によりドア３が自動的に開く。
【００４９】
本実施の形態によれば、ドア３が自動的に完全に開閉する際の衝撃力を、ダンパ７により緩和することができる。
【００５０】
図５は、ダンパ７が作動するドア３の開き角度の範囲を示す図である。図５に示すように、開き角度が０°〜３０°の範囲で、ダンパアーム６の後方端がダンパ７を押圧する。
【００５１】
開き角度が３０°〜６０°の範囲では、ダンパアーム６の後方端はダンパ７を押圧しない。開き角度が６０°〜９０°の範囲では、ダンパアーム６の後方端がダンパ７を押圧する。開き角度が０°の場合、ドア３は全閉状態であり、開き角度が９０°の場合、ドア３は全開状態である。
【００５２】
ドア３を開ける場合、開き角度が６０°〜９０°の範囲で、ダンパ７の反発力が、ドア３の動きとは逆方向の制動力としてドア３に作用する。すなわち、ダンパ７の作動範囲は、開き角度が６０°〜９０°の範囲（作動範囲Ａ）となる。
【００５３】
ドア３を閉じる場合は、開き角度が３０°〜０°の範囲で、ダンパ７の反発力が、ドア３の動きとは逆方向の制動力としてドア３に作用する。すなわち、ダンパ７の作動範囲は、開き角度が０°〜３０°の範囲（作動範囲Ｂ）となる。
【００５４】
このように、ドア３を完全に開閉される直前に、ダンパ７の制動力がドア３に作用する。これにより、縦開きのドア３の開閉時に、加熱調理器の本体１に伝わる衝撃力をダンパ７により緩和することができる。
【００５５】
開き角度が３０°〜６０°の範囲では、ダンパ７の反発力はダンパアーム６に及ばず、使用者の負担が軽減される。
【００５６】
以下、ドア開閉機構４の大きさについて説明する。
【００５７】
図１に示すように、ドア３の全閉状態において、ドアアーム９の前方端９ａの高さＨ３、バネ１０の後方端の高さＨ４、ダンパアーム６の前方端６ａの高さＨ５、本体側連結部５の高さＨ６のうち、ドアアーム９の前方端９ａの高さＨ３が最も高い。
【００５８】
ドアチョーク１３の下端の高さＨ２は、加熱室２の下端の高さＨ１より低い。従って、高さＨ３を高さＨ２より低く設計すれば、加熱室２の下方の空間の大きさを決めるために、ドア開閉機構４の本体１内における高さを考慮する必要がない。
【００５９】
本実施の形態によれば、ドア開閉機構４により占有される空間の高さを抑制することができる。その結果、上記のような設計が容易に行える。
【００６０】
図６は、本実施の形態に係る加熱調理器の、ドア３を閉めた状態における一部切欠き正面図である。
【００６１】
図６に示すように、本体１は、前面開口２ａの周囲に本体枠体部３０を有する。本体枠体部３０は、下枠部３０ａと、側枠部３０ｂと、上枠部３０ｃとを含む。
【００６２】
ドア開閉機構４は本体１内の左側下部に配置される。上述の通り、ドアアーム９の前方端９ａの高さＨ３が、ドアチョーク１３の下端の高さＨ２より低い（図１参照）。このため、ドア開閉機構４の本体１内に配置された部品は、下枠部３０ａ内に収まる。
【００６３】
すなわち、側枠部３０ｂの幅Ｗ１を決めるために、本体１内におけるドア開閉機構４の幅を考慮する必要がない。その結果、加熱室２の大きさや容量を維持しつつ、加熱調理器の本体１の小型化を図ることができる。
【００６４】
以上のように、本実施の形態によれば、ダンパ７を備えたドア開閉機構４を簡素化かつ小型化することができる。その結果、ドア３の開閉機構のコスト低減および省スペース化を図ることができる。
【産業上の利用可能性】
【００６５】
本開示は調理器だけでなく、その他の電化製品、家具にも適用可能である。
【符号の説明】
【００６６】
１，５１  本体
２，５２  加熱室
２ａ  前面開口
３，５３  ドア
４  ドア開閉機構
５  本体側連結部
５ａ，５ｂ  案内孔
６  ダンパアーム
６ａ，９ａ  前方端
６ｂ，９ｂ  後方端
７，５４  ダンパ
８  ダンパ固定部
９，５６  ドアアーム
１０，５８  バネ
１１  回転軸
１２  ドア側連結部
１３  ドアチョーク
１４  把手
３０  本体枠体部
３０ａ  下枠部
３０ｂ  側枠部
３０ｃ  上枠部
５７  ローラ
６１  凸部
６２  作動レバー
６４  連結レバー
６６  電気部品
６８  ピン
【図１】
2018147321.tif 000003
【図２】
2018147321.tif 000004
【図３】
2018147321.tif 000005
【図４】
2018147321.tif 000006
【図５】
2018147321.tif 000007
【図６】
2018147321.tif 000008
【図７】
2018147321.tif 000009
【図８】
2018147321.tif 000010
【国際調査報告】
2018147321.tif 000011
2018147321.tif 000012
2018147321.tif 000013
2018147321.tif 000014